(57)【特許請求の範囲】
【請求項１】
下記（ａ）、（ｂ）及び（ｃ）成分を含有する残部が水の食器用洗浄剤であって、
（ａ）アルキルグリコシド        １０〜５０重量％
（ｂ）乳酸                    ０．５〜１０重量％
（ｃ）両性界面活性剤          ０．５〜１０重量％
（ｂ）成分に対する（ａ）成分の重量比が（ａ）／（ｂ）＝１〜５０、および（ｃ）成分に対する（ａ）成分の重量比が（ａ）／（ｃ）＝１〜５０であって、２０℃におけるｐＨが３〜７である食器用洗浄剤。
【発明の詳細な説明】
【０００１】
【発明の属する技術分野】
本発明は食器等の手洗い洗浄に用いる洗浄剤に関する。
【０００２】
【従来の技術及び発明が解決しようとする課題】
特開平４−２８３５０９号公報には乳酸と陰イオン性及び両性界面活性剤とを含有する洗浄後の皮膚への湿潤感付与に優れた洗浄剤が、また特開平６−１１６５９６号公報には乳酸を含むヒドロキシ酸、アミノ酸型両性界面活性剤および陰イオン性界面活性剤からなる、皮膚に対して刺激をあたえず、かつ髪に対する風合いに優れた洗浄剤が記載されている。
【０００３】
しかしながら、これら洗浄剤は中性領域においては使用後の手指へのヌル付き等による残留感は軽減されておらず、手を使って直接洗うような食器等の洗浄剤に関して、残留感の少ない洗浄剤が望まれている。
【０００４】
本発明の目的は、使用後の手指へのヌル付き等の残留感を低減し、かつ泡立ちが良好な食器等の手洗い用に使用するに好適な洗浄剤を提供することである。
【０００５】
【課題を解決するための手段】
本発明は、下記（ａ）、（ｂ）及び（ｃ）成分を含有する残部が水の洗浄剤であって、
（ａ）アルキルグリコシド          １〜５０重量％
（ｂ）α−ヒドロキシ酸        ０．５〜１０重量％
（ｃ）両性界面活性剤          ０．５〜１０重量％
（ｂ）成分に対する（ａ）成分の重量比が（ａ）／（ｂ）＝１〜５０、および（ｃ）成分に対する（ａ）成分の重量比が（ａ）／（ｃ）＝１〜５０であって、２０℃におけるｐＨが３〜７である洗浄剤を提供する。
【０００６】
【発明の実施の形態】
（ａ）成分のアルキルグリコシドは、特開平２−２４７２９９号公報第３頁左下欄４行〜第４頁右上欄６行記載のものを使用することができ、下記一般式（Ｉ）で示されるものが好ましい。
Ｒ１（ＯＲ２）ｘＧｙ          （Ｉ）
（式中、Ｒ１は炭素数８〜１８の直鎖または分岐鎖のアルキル、アルケニルまたはアルキルフェニル基を示し、Ｒ２は炭素数２〜４のアルキレン基を、Ｇは炭素数５または６の還元糖に由来する残基を示し、ｘはその平均値が０〜５．０となる数を示し、ｙはその平均値が１．０〜４．０となる数を示す）
【０００７】
上記一般式（Ｉ）中、Ｒ１は溶解性、起泡性および洗浄性の点から、直鎖が好ましく、炭素数は１０〜１４が好ましい。また、Ｒ２は溶解性の点から炭素数は２〜３が好ましい。さらに、ｘの平均値は０〜２．０が好ましい。ｙの値は平均値で１．０〜１．４が好ましい。Ｇはグルコース由来の残基が好ましい。
【０００８】
（ａ）成分は、洗浄剤中に１〜５０重量％、好ましくは１０〜４０重量％配合される。
【０００９】
（ｂ）成分のα−ヒドロキシ酸は、皮膚への保湿性の付与および使用後の手指のヌル付き等の残留感の低減のために、乳酸、グリコール酸、リンゴ酸、酒石酸およびクエン酸が好ましく、その中で乳酸が最も好ましい。
【００１０】
（ｂ）成分は洗浄剤中に０．５〜１０重量％配合され、好ましくは１〜８重量％配合される。
【００１１】
使用後の残留感をより少なくするために（ｂ）成分に対する（ａ）成分の重量比が（ａ）／（ｂ）＝１〜５０であり、特に２〜３０となるように配合することが好ましい。
【００１２】
（ｂ）成分はＬ−体、Ｄ−体およびＤ、Ｌ−体のうち、入手の容易性からＬ−体が好ましい。
【００１３】
（ｃ）成分の両性界面活性剤は特開平５−１４８４９４号公報第５頁２２行〜第６頁２１行に記載のものを使用することができるが、低ｐＨにおいても良好な起泡性を維持するために下記一般式（ＩＩ）または（ＩＩＩ）で示されるスルホベタインまたはカルボベタインが好ましい。
【００１４】
【化１】
0003556493.tif 000002
【００１５】
（ｃ）成分は洗浄剤中に０．５〜１０重量％、好ましくは１〜８重量％配合される。また、低ｐＨにおいて良好な起泡性を維持するため（ｃ）成分に対する（ａ）成分の重量比は（ａ）／（ｃ）＝１〜５０、特に（ａ）／（ｃ）＝  ２〜３０が好ましい。
【００１６】
本発明の洗浄剤は液状ないしゲル状が好ましく、ｐＨは（ｂ）成分による手指の残留感を軽減させるために洗浄剤の２０℃のｐＨが３〜７であり、特に３〜５が好ましい。ｐＨの調整は塩酸水溶液または水酸化ナトリウム水溶液等により調整される。
【００１７】
本発明にはその他界面活性剤を配合することができる。陰イオン性界面活性剤としては、ポリポキシエチレンアルキルエーテル硫酸、直鎖アルキルベンゼンスルホン酸もしくは脂肪酸またはそれらの塩を配合することができるが、使用後のヌル付き等の残留感を少なくするために、脂肪酸以外の陰イオン性界面活性剤の配合量は好ましくは０．１〜７重量％、より好ましくは０．１〜５重量％であり、脂肪酸塩は好ましくは０．１〜５重量％、より好ましくは０．５〜３重量％である。またアルキルグリコシド以外の非イオン性界面活性剤を配合する場合は、ヤシ油またはパーム核油由来の脂肪酸アルカノールアミド、アルキルベタイン、アルキルアミンオキサイドまたはポリオキシエチレンアルキルエーテルが好ましく、０〜５重量％の配合量が好ましい。
【００１８】
本発明の洗浄剤には、低級アルコール類（エタノール、イソプロパノールが好ましい）、グリコール類（プロピレングリコール、分子量が２０００までのポリプロピレングリコールが好ましい）、芳香族スルホン酸塩（ｐ−トルエンスルホン酸塩、ｍ−キシレンスルホン酸塩が好ましい）、防腐・防かび剤（プロキセルＢＤＮ［ゼネカ株式会社製］、ケーソンＣＧ［ロームアンドハースジャパン株式会社製］等）、香料、色素等を含有することができる。
【００１９】
本発明の洗浄剤の残部は水であり、食器等の手洗い洗浄に関する液体洗浄剤として適する。
【実施例】
表１に示された洗浄剤を用いて、起泡力、洗浄力および使用後の残留感（ヌル付き）を下記評価方法に従って調べた。結果を表１に併せて示す。
【００２０】
１．起泡力の評価方法
各洗浄剤の０．２５重量％水溶液中に市販バターを０．１重量％添加した溶液の起泡力測定する。測定方法は、直径５ｃｍ、高さ１２ｃｍの円筒ガラス容器に洗浄剤の０．２５重量％水溶液４０ｍｌ（硬度３．５ＤＨ、Ｍｇイオン／Ｃａイオン＝１／３の調製水を使用）および直径１０ｍｍのテフロン球２０個を入れ、２０℃の恒温水槽中で充分に温調した後、バター０．０４ｇを添加し１５分間容器を回転（４２ｒｐｍ）させ、停止直後、液面からの泡高さを測定した。
【００２１】
２．洗浄力の評価方法
牛脂に指示薬としてスダンレッド（赤色色素、和光純薬工業（株）製）を０．１重量％添加したモデル汚れ２．５ｇを白色陶磁皿（直径２５ｃｍ）に塗布したものを洗浄剤３ｇ、水（硬度３．５ＤＨ、Ｍｇイオン／Ｃａイオン＝１／３の調製水を使用）２７ｇに染み込ませたスポンジ（１０．５×７．５×４．０ｃｍ、材質；ポリウレタンフォーム）を用いて手洗い洗浄を行った。皿上の色素が除去できたかどうかを目視判断しながら、すすぎ操作を加えず皿上の色素が除去できなくなるまで連続的に洗浄作業を行い、最終的に洗浄できた皿の枚数（有効洗浄枚数）により評価した。
【００２２】
３．使用後の残留感の評価方法
残留感の評価として、使用後のヌル付きを調べた。まず、被験者として２０〜３０歳の女性５名を抽出し、５重量％に調製した洗浄剤水溶液（硬度３．５ＤＨ、Ｍｇイオン／Ｃａイオン＝１／３の調製水を使用）および同濃度の手洗い用固形石けん（商品名：ホワイト、花王（株））水溶液中へおのおの片手を手首まで浸漬させ３分間スポンジ（１０．５×７．５×４．０ｃｍ、材質；ポリウレタンフォーム）を揉んだ後、水道水（２５℃）にて片手ずつ十分流水濯ぎをおこない、タオル等で完全に水気を拭き取った。被検者５人の手の感触を手洗い用固形石けんと比較した上で、次の基準により自己評価してもらい５人の平均点で示した。試験毎に固形石けんで手洗いを行い、最低１時間以上の試験間隔をおいた。また、その間は保護クリームなどの使用を避けるようにした。この時の評価基準は以下の通りである。
【００２３】
この試験において平均点は４点以上であることが好ましい。
５点：ヌル付きがない（固形石けんと同等）
４点：ヌル付きを指の間のみに僅かに感じる
３点：ヌル付きを指の間のみに感じる
２点：ヌル付きを指の間および掌部全体に感じるが、更に水洗いしとは感じない
１点：明らかにヌル付きを指の間および掌部全体に感じ、更に水洗いをしたいと感じる
【００２４】
【表１】
0003556493.tif 000003